(57)【特許請求の範囲】
【請求項１】
少なくとも１つの波長で所定の変調速度で変調された光信号を入力し、当該光信号の波長および波長数を検出する光波長モニタと、
前記光信号を入力し、前記光波長モニタで検出された波長のうちの代表波長の光信号を分波して電気信号に変換し、電圧制御発振器の出力との周波数／位相誤差が最小となる周波数を、前記光信号の１波長あたりの変調速度として検出する変調速度モニタと、
前記光波長モニタで検出された前記光信号の波長および波長数の情報と、前記変調速度モニタで検出された前記光信号の１波長あたりの変調速度の情報を入力し、事前登録しているデータベースを参照して前記光信号の要求信号帯域を示す光信号種別を識別する光信号種別識別部と
を備えたことを特徴とする光信号種別識別器。
【請求項２】
請求項１に記載の光信号種別識別器において、
前記光波長モニタは、光スペクトラムアナライザを用いて前記光信号の波長および波長数を検出し、その情報を前記光信号種別識別部に通知するとともに、前記代表波長の情報を前記変調速度モニタに通知する構成である
ことを特徴とする光信号種別識別器。
【請求項３】
請求項１に記載の光信号種別識別器において、
前記光波長モニタは、前記光信号を各波長の出力ポートに分波する波長分波器と、各波長の出力ポートにそれぞれ接続される光パワーモニタとを備え、各波長に対応する光パワーモニタの出力値が所定値を超える波長とその波長数を検出し、その情報を前記光信号種別識別部に通知するとともに、前記代表波長の情報を前記変調速度モニタに通知する構成である
ことを特徴とする光信号種別識別器。
【発明の詳細な説明】
【技術分野】
【０００１】
本発明は、入力する光信号の波長、波長数、代表波長の変調速度（変調周波数）を検出し、例えば当該光信号を接続する接続ポートなどの特定に用いる光信号種別を識別する光信号種別識別器に関する。
【背景技術】
【０００２】
光ネットワークシステムでは、クライアントからの光信号を光ネットワークに挿入（Ａｄｄ）し、光ネットワークからの光信号をクライアントへ出力（Ｄｒｏｐ）する機能を有する装置を光クロスコネクト（ＯＸＣ）と呼んでいる。そのＯＸＣは、合分波器、光スイッチ、波長選択スイッチなどとともに構成することが知られている（特許文献１）。
【０００３】
また、ＷＤＭ伝送装置には、各クライアントに対応する光信号の経路切替や多重、逆多重を実施する端局装置が接続される。近年、ＷＤＭ伝送装置と端局装置との間のトランスポンダ削減やオペレーションコスト削減のために、図６に示すようなＯＸＣとＯＤＵ−ＸＣの機能を統合したノード装置が提案されている。
【０００４】
図６において、ノード装置は、ＷＤＭ伝送路に接続され、波長単位に経路切替を行うＯＸＣと、ＩＦ部３１，３２を介してユーザＩＦのアドドロップポートとＯＸＣのアドドロップポートとの間で所定の信号処理を行う高速トランスポンダ３３，３４と、電気信号の経路切替を行うＯＤＵ−ＸＣと、ＩＦ部３１，３２を介してユーザＩＦのアドドロップポートとＯＤＵ−ＸＣのアドドロップポートとの間で光／電気変換、電気／光変換を行う低速トランスポンダ３５，３６と、ＯＸＣとＯＤＵ−ＸＣとの間で多重／分離を行うトランスポンダ３７，３８とを備える。ＯＤＵ−ＸＣおよび各トランスポンダは、ＯＸＣのユーザＩＦ部に接続される端局装置の機能を有する。
【先行技術文献】
【特許文献】
【０００５】
【特許文献１】特開２００８−２５２６６４号公報
【発明の概要】
【発明が解決しようとする課題】
【０００６】
クライアントが使用するサービスの多様化により、要求信号帯域が様々になっている。例えば、10Ｇbit/s の信号を１波長の光信号で伝送する形態や、 100Ｇbit/s の信号を25Ｇbit/s ずつ４波長の光信号で伝送する形態がある。
【０００７】
このように信号を伝送するクライアントのニーズに応じて、利用目的に応じたトラフィックに適合した光信号種別が選択され、ネットワーク内の帯域利用、伝送コストの最適化が図られている。そのためには、図６に示すノード装置のＩＦ部３１，３２において、入出力する光信号の光信号種別を識別し、対応する接続ポートなどを特定した光ファイバ接続作業が必要になっている。しかし、光ファイバ接続作業は保守者による現地作業が必要であり、光信号種別の確認等は事前準備している設計書や接続元の現地作業者との口頭伝達によることから、光信号種別に応じてノード装置の接続ポートが異なる場合、保守者の誤接続による信頼性低下や作業時間の増大が課題になっている。
【０００８】
本発明は、光信号の波長、波長数、変調速度（変調周波数）を検出して光信号種別を識別することができる光信号種別識別器を提供することを目的とする。
【課題を解決するための手段】
【０００９】
本発明の光信号種別識別器は、少なくとも１つの波長で所定の変調速度で変調された光信号を入力し、当該光信号の波長および波長数を検出する光波長モニタと、光信号を入力し、光波長モニタで検出された波長のうちの代表波長の光信号を分波して電気信号に変換し、電圧制御発振器の出力との周波数／位相誤差が最小となる周波数を、光信号の１波長あたりの変調速度として検出する変調速度モニタと、光波長モニタで検出された光信号の波長および波長数の情報と、変調速度モニタで検出された光信号の１波長あたりの変調速度の情報を入力し、事前登録しているデータベースを参照して光信号の要求信号帯域を示す光信号種別を識別する光信号種別識別部とを備える。
【００１０】
本発明の光信号種別識別器における光波長モニタは、光スペクトラムアナライザを用いて光信号の波長および波長数を検出し、その情報を光信号種別識別部に通知するとともに、代表波長の情報を変調速度モニタに通知する構成としてもよい。
【００１１】
本発明の光信号種別識別器における光波長モニタは、光信号を各波長の出力ポートに分波する波長分波器と、各波長の出力ポートにそれぞれ接続される光パワーモニタとを備え、各波長に対応する光パワーモニタの出力値が所定値を超える波長とその波長数を検出し、その情報を光信号種別識別部に通知するとともに、代表波長の情報を変調速度モニタに通知する構成としてもよい。
【発明の効果】
【００１２】
本発明の光信号種別識別器は、さまざまなクライアントに対応する入力光信号の波長、波長数、１波あたりの変調速度を検出し、事前登録の情報と比較することにより当該入力光信号の光信号種別を識別することができる。また、この光信号種別識別器をさまざまなクライアントの光信号を収容するノード装置に用いることにより、光伝送システム導入時やクライアントのサービスアップグレード時の作業を効率化することができる。また、現地保守者の作業を軽減し、コスト削減および作業時間の短縮が可能になる。
【図面の簡単な説明】
【００１３】
【図１】本発明の光信号種別識別器の構成例を示す図である。
【図２】光波長モニタ１２の構成例を示す図である。
【図３】変調速度モニタ１３の構成例を示す図である。
【図４】本発明の光信号種別識別器の処理手順を示す図である。
【図５】光信号種別識別部１４のデータベースの登録例を示す図である。
【図６】本発明の光信号種別識別器が用いられるノード装置の構成例を示す図である。
【発明を実施するための形態】
【００１４】
図１は、本発明の光信号種別識別器の構成例を示す。
図１において、光信号種別識別器は、光カプラ１１、光波長モニタ１２、変調速度モニタ１３および光信号種別識別部１４により構成される。なお、本発明の光信号種別識別器は、例えば図６に示すノード装置のＩＦ部３１，３２に接続し、入出力する光信号の光信号種別の識別に用いられる。また、ＩＦ部３１，３２に代えて光スイッチが用いられる構成では、この光スイッチに接続される。
【００１５】
入力する光信号は光カプラ１１で分岐され、一方が光波長モニタ１２に入力し、他方が変調速度モニタ１３に入力する。光波長モニタ１２は、光信号の波長および波長数を検出して光信号種別識別部１４に通知するとともに、その代表波長を変調速度モニタ１３に通知する。例えば、10Ｇbit/s の信号を１波長の光信号で伝送する形態では、当該１波長と波長数１が検出され、その１波長が代表波長となる。 100Ｇbit/s の信号を25Ｇbit/s ずつ４波長の光信号で伝送する形態では、当該４波長と波長数４が検出され、その１波長が代表波長となる。変調速度モニタ１３は、光波長モニタ１２から通知された代表波長の光信号から１波長あたりの変調速度（変調周波数）を検出する。光信号種別識別部１４は、光波長モニタ１２で検出された入力光信号の波長および波長数の情報と、変調速度モニタ１３で検出された１波長あたりの変調速度の情報を入力し、事前登録しているデータベースを参照して入力光信号の光信号種別を識別する。
【００１６】
図２は、光波長モニタ１２の構成例を示す。
図２(1) は、光波長モニタ１２として光スペクトラムアナライザを用いる例であり、波長をスイープすることにより、ピーク波長や波長数を検出する。
【００１７】
図２(2) は、波長分波器１２１の各波長に対応する出力ポートにそれぞれ光パワーモニタ１２２を接続した構成であり、各波長に対応する光パワーモニタ１２２の出力値が閾値を超える波長とその波長数を検出する。
【００１８】
図３は、変調速度モニタ１３の構成例を示す。
図３において、変調速度モニタ１３は波長可変フィルタ１３１および変調信号モニタ１３２により構成される。波長可変フィルタ１３１は、光波長モニタ１２から通知された代表波長を透過帯域として設定し、入力する光信号から代表波長の光信号を分波して出力する。変調信号モニタ１３２は、波長可変フィルタ１３１を透過した代表波長の光信号を入力し、光／電気変換器（Ｏ／Ｅ）１３３で電気信号に変換する。この電気信号は、位相比較器１３４で電圧制御発振器（ＶＣＯ）１３６の出力と周波数／位相比較され、その周波数／位相誤差信号が制御器１３５に入力される。制御器１３５は、周波数／位相誤差信号が最小になるようにＶＣＯ１３６の周波数／位相を制御する。これを繰り返し、周波数／位相誤差信号が最小になったときのＶＣＯ１３６の周波数を、入力する光信号の１波長あたりの変調速度（変調周波数）として出力する。
【００１９】
図４は、本発明の光信号種別識別器の処理手順を示す。
図４において、(1) 光波長モニタ１２は、入力光信号の波長および波長数を検出する。(2) 光波長モニタ１２は、検出した波長数が１が場合は当該波長を代表波長として、複数の場合はそのうちの１波長を代表波長として、その情報を変調速度モニタ１３に通知する。(3) 変調速度モニタ１３は、代表波長の情報を受領する。(4) 光波長モニタ１２は、検出した波長および波長数の情報を光信号種別識別部１４に通知する。(5) 光信号種別識別部１４は、波長および波長数の情報を受領する。
【００２０】
(6) 変調速度モニタ１３は、光波長モニタ１２から通知された代表波長を透過波長に設定し、入力光信号の１波長あたりの変調速度を検出する。(7) 変調速度モニタ１３は、検出した代表波長の変調速度の情報を光信号種別識別部１４に通知する。(8) 光信号種別識別部１４は、当該１波長あたりの変調速度の情報を受領する。(9) 光信号種別識別部１４は、受領した入力光信号の波長、波長数、１波長あたりの変調速度と、データベースに登録されている情報とを照合し、対応する光信号種別を識別する。
【００２１】
図５は、光信号種別識別部１４のデータベースの登録例を示す。
図５において、波長数、代表波長、１波長あたりの変調速度と光信号種別が対応付けられている。ただし、波長や変調速度の情報のみで規格化されているクライアント対応の光信号種別のすべてを識別することができないが、実際に装置に収容する可能性のある情報のみ光信号種別識別部１４に登録しておくことで、運用に支障ない識別が可能である。
【００２２】
例えば、波長 1.5μｍ、波長数１、１波長あたりの変調速度が10.3125 Ｇbit/s であれば、上記の10Ｇbit/s の信号を１波長の光信号で伝送するクライアントの光信号として識別することができる。また、波長 1.3μｍ、波長数４、１波長あたりの変調速度が25.78125Ｇbit/s であれば、上記の 100Ｇbit/s の信号を25Ｇbit/s ずつ４波長の光信号で伝送するクライアントの光信号として識別することができる。
【符号の説明】
【００２３】
１１  光カプラ
１２  光波長モニタ
１２１  波長分波器
１２２  光パワーモニタ
１３  変調速度モニタ
１３１  波長可変フィルタ
１３２  変調信号モニタ
１３３  光／電気変換器（Ｏ／Ｅ）
１３４  位相比較器
１３５  制御器
１３６  電圧制御発振器（ＶＣＯ）
１４  光信号種別識別部
【図１】
0005657474.tif 000002
【図２】
0005657474.tif 000003
【図３】
0005657474.tif 000004
【図４】
0005657474.tif 000005
【図５】
0005657474.tif 000006
【図６】
0005657474.tif 000007